(57)【要約】  本発明は集積超音波療法トランスデューサを提供することである。集積超音波療法トランスデューサは、療法超音波を発生させる圧電トランスデューサ、圧電トランスデューサをサポートする支持体、圧電トランスデューサを駆動する電力増幅モジュールを含む。電力増幅モジュールおよび圧電トランスデューサの両方は、療法トランスデューサの筐体内に取り付けられる。本発明の集積超音波療法トランスデューサアセンブリの利点は、超音波機器を最小化し、その体積および重量を減少させること、電磁干渉および放熱を大幅に削減すること、大量生産における超音波療法機器の安定した性能を実現することおよび超音波療法機器に互換性を持たせることを含む。【選択図】      図３
2008526327.tif 000002
【特許請求の範囲】
【請求項１】
療法超音波を発生させる圧電トランスデューサと、前記圧電トランスデューサをサポートする支持体と、前記圧電トランスデューサを駆動する電力増幅モジュールとを具備し、
前記電力増幅モジュールおよび前記圧電トランスデューサの両方が療法トランスデューサの筐体内に取り付けられ、冷却流体が流れる通路が、前記電力増幅モジュールの放熱面と前記圧電トランスデューサとの間に形成される集積超音波療法トランスデューサアセンブリ。
【請求項２】
前記電力増幅モジュールは、圧電トランスデューサの後側に取り付けられ、前記電力増幅モジュールは圧電トランスデューサの音波放射面の反対側に位置し、
前記電力増幅モジュールの放熱面は、前記療法トランスデューサアセンブリの筐体に接近して結合され、その結果前記集積療法トランスデューサアセンブリの筐体が、前記電力増幅モジュールの放熱板として使用される請求項１記載の集積超音波療法トランスデューサアセンブリ。
【請求項３】
削除
【請求項４】
前記電力増幅モジュールの断面は円形であり、前記療法トランスデューサ筐体の形に適応できる請求項１記載の集積超音波療法トランスデューサアセンブリ。
【請求項５】
前記圧電トランスデューサは、フラット圧電性結晶である請求項１記載の集積超音波療法トランスデューサアセンブリ。
【請求項６】
前記圧電トランスデューサから放射する超音波は、音響レンズにより集束される請求項５記載の集積超音波療法トランスデューサアセンブリ。
【請求項７】
前記圧電トランスデューサは、自己集束圧電性結晶である請求項１記載の集積超音波療法トランスデューサアセンブリ。
【請求項８】
前記圧電トランスデューサは、フェイズドアレイ超音波療法トランスデューサである請求項１記載の集積超音波療法トランスデューサアセンブリ。
【請求項９】
前記圧電トランスデューサは、多素子アレイ超音波療法トランスデューサである請求項１記載の集積超音波療法トランスデューサアセンブリ。
【発明の詳細な説明】
【発明の分野】
【０００１】
本発明は超音波療法機器の構成部品に関する。特に本発明は、超音波療法機器のトランスデューサアセンブリに関する。
【発明の背景】
【０００２】
超音波療法機器の臨床応用において、トランスデューサアセンブリのような機器の全重量および全体積、ならびに機器のそれぞれの構成部品の重量および体積を含め、機器の体積および重量を緊急に最小化する必要がある。既存の超音波療法トランスデューサを、図１および図２中に示す。これらの図中に示されるように、既存の超音波療法機器の電力増幅モジュール1は、療法トランスデューサ５とは別に取り付けられ、電力増幅モジュールは、ケーブル３を通して療法トランスデューサ５に接続されている。大きなサイズを有するこの構造は重く、信号送信および抵抗整合を困難にさせる。電力増幅モジュール１および療法トランスデューサ５を別々に取り付けることにより、ケーブル３により療法トランスデューサ５に対して送信される高周波および高出力電気信号が発生する。ケーブル３のパラメータが不適当に選択される場合、またはケーブル３が非常に長い場合、ひどい電磁汚染がもたらされる。
【０００３】
療法トランスデューサおよび電力増幅モジュールを別々に取り付けることにより、超音波療法機器は大きなサイズになり、それぞれの構成部品は別々に取り付けられる。このような設計は、工学設計上多くの問題をもたらす。各療法トランスデューサの抵抗および音波放射効率が異なるため、別々に取り付けることにより、療法トランスデューサおよび電力増幅モジュール両方の整合性および互換性の解決がより困難になる。
【発明の概要】
【０００４】
本発明の目的は、電力増幅モジュールとは別に療法トランスデューサを取り付けることに関する上述の問題を解決し、集積超音波療法トランスデューサアセンブリを提供して、その結果電力増幅モジュールとは別の療法トランスデューサの取り付けの欠点を克服し、療法トランスデューサおよび電力増幅モジュールの間の抵抗整合、ならびに電磁環境両立性に関して整合性および互換性を改善し、療法機器を最小化することである。
【０００５】
本発明は、集積超音波療法トランスデューサアセンブリを提供する。集積超音波療法トランスデューサアセンブリは、療法超音波を発生させる圧電トランスデューサ、圧電トランスデューサをサポートする支持体、圧電トランスデューサを駆動する電力増幅モジュールを含む。電力増幅モジュールおよび圧電トランスデューサの両方が、療法トランスデューサの筐体内に取り付けられる。
【０００６】
電力増幅モジュールは、圧電トランスデューサの後側に取り付けられてもよく、電力増幅モジュールは、圧電トランスデューサの音波放射面の反対側に位置している。電力増幅モジュールの放熱面は療法トランスデューサアセンブリの筐体に接近して結合され、その結果集積療法トランスデューサアセンブリの筐体は、電力増幅モジュールの放熱板として使用される。
【０００７】
冷却流体が流れる通路が、電力増幅モジュールの放熱面と圧電トランスデューサとの間に形成され、それにより電力増幅モジュールを冷却するために、療法トランスデューサの筐体に流される循環する冷却流体を使用できる。
【０００８】
集積超音波療法トランスデューサアセンブリの電力増幅モジュールの断面は円形であってもよく、療法トランスデューサ筐体の形に適応できる。
【０００９】
集積超音波療法トランスデューサアセンブリの電力増幅モジュールは、高周波変成器、キャパシタ、およびインダクタのような抵抗変圧構成部品を含む。
【００１０】
集積超音波療法トランスデューサアセンブリのケーブルは、２つの電源コード、１つの同軸ケーブルおよび他の２つ以上の制御ケーブルを含む。
【００１１】
圧電トランスデューサは、フラット圧電性結晶または自己集束圧電性結晶を採り入れてもよい。音響レンズにより、圧電トランスデューサから放射する音波ビームを集束してもよい。圧電トランスデューサは、フェイズドアレイトランスデューサまたは多素子アレイトランスデューサであってもよい。
【００１２】
本発明の集積超音波療法トランスデューサアセンブリの利点は、
１．超音波療法機器を最小化し、その体積および重量を減少させること、
２．電磁干渉および放熱を大幅に削減すること、
３．大量生産における超音波療法機器の安定した性能を実現することおよび超音波療法機器に互換性を持たせること、である。
【好ましい実施形態の説明】
【００１３】
本発明の好ましい実施形態を以下で説明する。
【００１４】
図３は、本発明の１つの実施形態を図示する。ここでのアセンブリは、電力増幅モジュール１、圧電トランスデューサ４、筐体５、音響レンズ６、電力増幅モジュール入力インターフェイス７、電力増幅モジュール出力ケーブル１２およびラジエータ１３を含む。治療の超音波を発生させる圧電トランスデューサ４および音響レンズ６は、接着剤を使用して互いに付着されている。音響レンズ６は、療法トランスデューサ筐体５上に取り付けられている。電力増幅モジュール１は、圧電トランスデューサ４の後側に取り付けられ、それは圧電トランスデューサ４の音波放射面の反対側に位置している。電力増幅モジュール１の放熱面は、療法トランスデューサ筐体５に接近して結合されており、その結果療法トランスデューサ筐体５は、電力増幅モジュール１の放熱板として使用される。ここで、電力増幅モジュール１により発生した熱は、ラジエータ１３および療法トランスデューサ筐体５により放射される。
【００１５】
電力増幅モジュール出力ケーブル１２は、圧電トランスデューサ４の２つの電極に接続されている。
【００１６】
電力増幅モジュール入力インターフェイス７は、外部制御信号および駆動電力を入力するために使用される。電力増幅モジュール入力インターフェイス７は、集積超音波療法トランスデューサアセンブリの底面または側面に位置している。
【００１７】
電力増幅モジュール１の断面は、療法トランスデューサ筐体５の形に適応するために円形である。
【００１８】
図４は、本発明の第２の実施形態を図示する。ここでのアセンブリは、電力増幅モジュール１、圧電トランスデューサ４、療法トランスデューサ筐体５、音響レンズ６、電力増幅モジュール入力インターフェイス７、冷却流体入口９、冷却流体出口１０、電力増幅モジュール出力ケーブル１２およびラジエータ１３を含む。療法の超音波を発生させる圧電トランスデューサ４および音響レンズ６は、接着剤を使用して互いに付着されている。音響レンズ６は、療法トランスデューサ筐体５上に取り付けられている。電力増幅モジュール１は、圧電トランスデューサ４の後側に取り付けられ、それは圧電トランスデューサ４の音波放射面の反対側に位置している。冷却流体が流れる通路が、電力増幅モジュール１の放熱面と圧電トランスデューサ４との間に形成される。図４中に示される矢印方向のように、冷却流体は、電力増幅モジュール１を冷却するために入口９から集積超音波療法トランスデューサに流入し、次に出口１０から流出する。前記冷却流体は、循環する気体または液体でもよい。
【００１９】
電力増幅モジュール出力ケーブル１２は、圧電トランスデューサ４の２つの電極に接続されている。
【００２０】
電力増幅モジュール入力インターフェイス７は、外部制御信号および駆動電力を入力するために使用される。電力増幅モジュール入力インターフェイス７は、集積超音波療法トランスデューサアセンブリの底面または側面に位置している。
【００２１】
電力増幅モジュール１は、療法トランスデューサ筐体５の形に適応するために円形であり、それにより空間の領域を有効に利用することができる。
【００２２】
図５は、本発明の第３の実施形態を図示する。ここでのアセンブリは、電力増幅モジュール１、圧電トランスデューサ４、療法トランスデューサ筐体５、電力増幅モジュール入力インターフェイス７、分離板８、冷却流体入口９、冷却流体出口１０、電力増幅モジュール出力ケーブル１２およびラジエータ１３を含む。圧電トランスデューサ４および電力増幅モジュール１の内側に分離板８がある。分離板８は、集積超音波療法トランスデューサアセンブリを２つの部分に分離する。図５中に示される矢印方向のように、電力増幅モジュール１を冷却するために、冷却流体は入口９から集積超音波療法トランスデューサの低い方の部分に流入し、次に出口１０から流出する。前記冷却流体は、循環する気体または液体でもよい。図５中の他の構造は、図４中のものと同一であり、それらは、ここでは繰り返さない。
【図面の簡単な説明】
【００２３】
【図１】図１は、トランスデューサと電力増幅モジュールとの間の取り付け関係を図示する既存の超音波療法トランスデューサの断面の概略図である。
【図２】図２は、トランスデューサと電力増幅モジュールとの間の取り付け関係を図示する既存の超音波療法トランスデューサの断面の概略図である。
【図３】図３は、超音波療法トランスデューサと電力増幅モジュールとの間の取り付け関係を図示する概略図である。
【図４】図４は、超音波療法トランスデューサと電力増幅モジュールとの間の取り付け関係を図示する概略図である。
【図５】図５は、超音波療法トランスデューサと電力増幅モジュールとの間の取り付け関係を図示する概略図である。
【００２４】
これらの図中の番号を以下で説明する。
【００２５】
１  電力増幅モジュール    ２  制御モジュール    ３  ケーブル
４  圧電トランスデューサ    ５  療法トランスデューサ筐体
６  音響レンズ    ７  電力増幅モジュール入力インターフェイス
８  分離板    ９  冷却流体入口
１０  冷却流体出口
１２  電力増幅モジュール出力ケーブル    １３  ラジエータ
【図１】
2008526327.tif 000003
【図２】
2008526327.tif 000004
【図３】
2008526327.tif 000005
【図４】
2008526327.tif 000006
【図５】
2008526327.tif 000007
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
療法超音波を発生させる圧電トランスデューサと、前記圧電トランスデューサをサポートする支持体と、前記圧電トランスデューサを駆動する電力増幅モジュールとを具備し、
前記電力増幅モジュールおよび前記圧電トランスデューサの両方が集積超音波療法トランスデューサアセンブリの筐体内に取り付けられ、冷却流体が流れる通路が、前記電力増幅モジュールの放熱面と前記圧電トランスデューサとの間に形成される集積超音波療法トランスデューサアセンブリ。
【請求項２】
前記電力増幅モジュールは、圧電トランスデューサの後側に取り付けられ、前記電力増幅モジュールは圧電トランスデューサの音波放射面の反対側に位置し、
前記電力増幅モジュールの放熱面は、前記療法トランスデューサアセンブリの筐体に接近して結合され、その結果前記集積療法トランスデューサアセンブリの筐体が、前記電力増幅モジュールの放熱板として使用される請求項１記載の集積超音波療法トランスデューサアセンブリ。
【請求項３】
前記電力増幅モジュールの断面は円形であり、前記療法トランスデューサ筐体の形に適応できる請求項１記載の集積超音波療法トランスデューサアセンブリ。
【請求項４】
前記圧電トランスデューサは、フラット圧電性結晶である請求項１記載の集積超音波療法トランスデューサアセンブリ。
【請求項５】
前記圧電トランスデューサから放射する超音波は、音響レンズにより集束される請求項５記載の集積超音波療法トランスデューサアセンブリ。
【請求項６】
前記圧電トランスデューサは、自己集束圧電性結晶である請求項１記載の集積超音波療法トランスデューサアセンブリ。
【請求項７】
前記圧電トランスデューサは、フェイズドアレイ超音波療法トランスデューサである請求項１記載の集積超音波療法トランスデューサアセンブリ。
【請求項８】
前記圧電トランスデューサは、多素子アレイ超音波療法トランスデューサである請求項１記載の集積超音波療法トランスデューサアセンブリ。
【国際調査報告】
2008526327.tif 000008
2008526327.tif 000009
2008526327.tif 000010
2008526327.tif 000011